(57)【要約】【課題】  大型の油圧ショベルに搭載される作動油用のタンクケーシング１に、カプセルエレメント４が挿脱自在に内装されるカプセル型の第一、第二フィルタ２、３を内装するにあたり、戻り油配管１０が接続され、第一、第二フィルタにそれぞれ戻り油を供給すべく分岐する分岐配管Ａをタンクケーシング１内にはない構成とする。【解決手段】  分岐配管Ａを、タンクケーシング１の外側に配してタンクケーシング１に取り付けるようにして、タンクケーシング１内の構造を簡略化する。【選択図】        図１
2006226315.tif 000002
【特許請求の範囲】
【請求項１】
カプセルエレメントがフィルタケーシングに挿脱自在に内装され、戻り油配管から供給される戻り油を濾過するためのカプセル型フィルタの複数を作動油タンクのタンクケーシングに内装するにあたり、前記戻り油配管から供給される戻り油を各カプセル型フィルタにそれぞれ供給するための分岐配管を、タンクケーシング外に設けたことを特徴とするカプセル型フィルタの配管構造。
【請求項２】
請求項１において、前記分岐配管は、各カプセル型フィルタから突出する外部接続用パイプにそれぞれ連通連結され、かつタンクケーシングの外部に突出するようにして設けられる各配管ブロックと、これら配管ブロック同士を連通連結する弾性ホースとを備えていることを特徴とするカプセル型フィルタの配管構造。
【請求項３】
請求項１または２において、前記分岐配管は、タンクケーシングの外面に組み付けられていることを特徴とするカプセル型フィルタの配管構造。
【発明の詳細な説明】
【技術分野】
【０００１】
本発明は、油圧シリンダ等の油圧アクチュエータを備えた各種機械装置に設けられるカプセル型フィルタの配管構造の技術分野に属するものである。
【背景技術】
【０００２】
一般に、油圧アクチュエータを備えた作業機械において、油圧アクチュエータから作動油タンクに戻る戻り油を濾過するためのフィルタ装置が設けられるが、この様なフィルタ装置として、例えば、濾過材が組込まれたエレメントと、該エレメントが着脱自在に装着され、且つ油の流入出口が設けられたフィルタ本体とを用いて構成したものがある。しかるにこのものは、使用済のエレメントを交換すべくフィルタ本体から取外した際に、エレメントに付着している油等が周辺部にこぼれ落ちてしまうという問題がある。そこで従来、封止可能なカプセル内にエレメントを内蔵したカプセルエレメントをフィルタケーシングに挿脱自在に内装せしめて、エレメントを交換するときにはカプセルエレメントごとフィルタケーシングから取出すように構成した所謂カプセル型のフィルタ装置が知られている（例えば特許文献１）。
【特許文献１】特開２００１−１７０４２２号公報
【発明の開示】
【発明が解決しようとする課題】
【０００３】
ところで多量の作動油を必要とする大型機では、多量の作動油が戻り油として戻ってくるため、これに対応するには大量の戻り油をカプセル型フィルタで濾過する必要があり、このためには大型のカプセル型フィルタを形成することが提唱される。この様にした場合、小型から大型の仕様の機械に取り付けようとする場合、濾過能力の関係からそれぞれの大きさに対応した大小多数のカプセル型フィルタの品揃えが必要になり、部品の兼用化（共用化）の妨げになるという問題がある。
そこで小型の機械に設けられるカプセル型フィルタを、機械の大きさに対応して複数用いるようにすれば、カプセルフィルタの兼用化が計れることになる。ところがカプセル型フィルタを作動油タンクに内蔵する形式のものでは、作動油タンク内に引き込んだ戻り油配管をタンク内で分岐して前記設けた複数のカプセル型フィルタのそれぞれに接続する必要があって、タンク内の構造が複雑になって製造が面倒かつ煩雑になるだけでなく、配管がある分、タンク容量が少なくなるという問題があり、ここに解決すべき課題がある。
【課題を解決するための手段】
【０００４】
本発明は、上記の如き実情に鑑みこれらの課題を解決することを目的として創作されたものであって、請求項１の発明は、カプセルエレメントがフィルタケーシングに挿脱自在に内装され、戻り油配管から供給される戻り油を濾過するためのカプセル型フィルタの複数を作動油タンクのタンクケーシングに内装するにあたり、前記戻り油配管から供給される戻り油を各カプセル型フィルタにそれぞれ供給するための分岐配管を、タンクケーシング外に設けたことを特徴とするカプセル型フィルタの配管構造である。
請求項２の発明は、請求項１において、前記分岐配管は、各カプセル型フィルタから突出する外部接続用パイプにそれぞれ連通連結され、かつタンクケーシングの外部に突出するようにして設けられる各配管ブロックと、これら配管ブロック同士を連通連結する弾性ホースとを備えていることを特徴とするカプセル型フィルタの配管構造である。
請求項３の発明は、請求項１または２において、前記分岐配管は、タンクケーシングの外面に組み付けられていることを特徴とするカプセル型フィルタの配管構造である。
【発明の効果】
【０００５】
請求項１の発明とすることにより、作動油タンクケーシングに複数のカプセル型フィルタを内装するものでありながら、戻り油配管からの戻り油を各カプセル型フィルタに分岐供給するための分岐配管がタンクケーシング外に設けられることになってタンクケーシング内で面倒な配管をする必要がないうえ、タンクケーシング内の容量が配管によって少なくなってしまうことを回避できる。さらに、容量の異なる作動油タンクには、分岐配管を用いて接続されるカプセル型フィルタの数を増減することで対応できるので、部品の共通化が図れることになる。
請求項２の発明とすることにより、分岐配管が弾性ホースで連通連結して構成されることになって、タンクケーシングやカプセル型フィルタ、各種配管、配管ブロック等の各種構成部材の製作公差や取付け誤差を容易に吸収できることになって製作作業性や取付け作業性の向上が図れる。
請求項３の発明とすることにより、タンクケーシングの外面を有効に利用して分岐配管の組み付けができることになる。
【発明を実施するための最良の形態】
【０００６】
次ぎに、本発明の実施の形態について図面に基づいて説明する。図中、１は大型の油圧ショベルに搭載される作動油タンクを構成するタンクケーシングであって、該タンクケーシング１は矩形状に形成され、天井板１ａに開設された一対の取り付け孔１ｂに、カプセル型の第一、第二フィルタ２、３の上面部が取付け座１ｃを介在する状態でそれぞれ組付けられている。前記フィルタ２、３は、円筒状をしたフィルタケーシング２ａ、３ａ内にエレメントをカプセルに封入したカプセルエレメント４が挿脱自在に内装され、上端部に設けたキャップ５を取り外した状態でカプセルエレメント４の上端部に設けた把手４ａを把持して所定方向に回すことでフィルタケーシング２ａ、３ａから外れるようになっていること等を含む内部機構については、前記特許文献１に記載されているものと同様であるのでその詳細は省略する。
【０００７】
フィルタ２、３の下端部に設けられる戻り油流入側の継手６には、水平方向を向いた外部接続用パイプ７の基端部が連結されているが、該外部接続用パイプ７の先端部は、取付け座１ｄを介してタンクケーシング側面板１ｅにそれぞれ開設の取り付け孔１ｆの側面板１ｅ外面に位置するようにして取り付けた第一、第二フランジ８、９に連通状に支持されている。そしてフィルタ２、３は、後述する戻り油配管１０から供給される戻り油が外部接続用パイプ７、継手６を経由してそれぞれフィルタ２、３内に入り、カプセルエレメント４によって濾過されて不純物が除去されたものが流出用パイプ１１を介してタンクケーシング１内に供給されるようになっている。
【０００８】
前記第一、第二フランジ８、９はタンクケーシング側面板１ｅに水平方向に対向するようにして設けられるが、これら第一、第二フランジ８、９には、外部接続用パイプ７の先端部に連通するようにして第一、第二配管ブロック１２、１３がそれぞれ設けられている。つまり、第一配管ブロック１２は、本実施の形態では矩形状をし、第一フランジ８に対向する側の面、第二配管ブロック１３に対向する側の面、そしてこれ以外の面（本実施の形態では上面）にそれぞれ油路１２ａ、１２ｂ、１２ｃが互いに連通状に設けられ、前記第一配管ブロック１２を第一フランジ８に取り付けた状態では、油路１２ａが第一フィルタ２の外部接続用パイプ７の先端部に連通連結するようになっている。
【０００９】
一方、第二配管ブロック１３には、第二フランジ９に対向する側の面、第一配管ブロック１２に対向する側の面にそれぞれ油路１３ａ、１３ｂが互いに連通状に設けられ、前記第二配管ブロック１３を第二フランジ９に取付けた状態では、油路１３ａが第二フィルタ３の外部接続用パイプ７の先端部に連通連結するようになっている。さらに互いに対向する油路１２ｂ、１３ｂには、筒状の口金１２ｄ、１３ｄがそれぞれ突出するようにして取付けられ、該口金１２ｄ、１３ｄ同士が弾性（または可撓性）を有するホース１４によって連通連結されている。
【００１０】
また、第一配管ブロック１２の油路１２ｃが形成される面には、第三の配管ブロック１５が取付けられるが、該第三配管ブロック１５には、第一配管ブロック１２と対向する側の面とこれ以外の面（本実施の形態では第二配管ブロックと対向する側の面とは反対側の面）とに互いに連通するようにして油路１５ａ、１５ｂが形成されているが、油路１５ａは、第三配管ブロック１５と第一配管ブロック１２とを取付けることで、第一配管ブロック油路１２ｃが連通連結するようになっている。さらに第三配管ブロック油路１５ｂには筒状の口金１５ｃが突出するようにして設けられ、該口金１５ｃに前記戻り油配管１０が連通連結されており、このように形成することでタンクケーシング１外で分岐形成された分岐配管Ａが構成され、前記タンクケーシング１に内装の第一、第二フィルタ２、３同士は、戻り油配管１０に対して前記タンクケーシング１外で分岐された分岐配管Ａを介して連通連結されることになって、第一、第二フィルタ２、３に対してそれぞれ戻り油の分岐供給がなされるようになっている。
【００１１】
叙述の如く構成された本発明の実施の形態において、タンクケーシング１には、一対（複数）のカプセル型の第一、第二フィルタ２、３が内装されているが、該第一、第二フィルタ２、３に戻り油を分岐してそれぞれに供給するための分岐配管Ａが、タンクケーシング１内ではなく、タンクケーシング１外に設けられているため、タンクケーシング１内に複雑な分岐配管を設ける必要がなく、この結果、分岐配管Ａの組み付けがタンク外でできることになって簡単になるばかりでなく、分岐配管Ａが外付けになった分、タンクケーシング１の作動油容量を多くすることができる。
【００１２】
そのうえ、容量の異なる作動油タンクに対しては、前記外部接続される分岐配管Ａを用いて接続されるカプセル型フィルタ２、３の数を増減することで自在に対応できるので、部品の共通化が図れることになる。
また分岐配管Ａは、弾性を有するホース１４を介して連通連結されているため、タンクケーシング１やカプセル型フィルタ２、３、各種配管や配管ブロック等の各種構成部材の製作公差や取付け誤差を容易に吸収できることになって製作作業性と取付け作業性の向上が図れる。
しかも分岐配管Ａは、タンクケーシング１の外面に組み付けられることになるため、該タンクケーシング外面を有効に利用しての組み付けができて好都合である。
【００１３】
尚、本発明は前記実施の形態に限定されるものではなく、タンクケーシングに内装されるカプセル型フィルタの数としては２個に限らず、３個以上、必要において適数個とすることができることはいうまでもない。
【図面の簡単な説明】
【００１４】
【図１】タンクケーシングの斜視図である。
【図２】タンクケーシングの正面図である。
【図３】タンクケーシングの一部断面側面図である。
【図４】タンクケーシングの部分拡大断面側面図である。
【図５】分岐配管の斜視図である。
【符号の説明】
【００１５】
１    タンクケーシング
２    第一フィルタ
２ａ  フィルタケーシング（本発明のカプセル型フィルタ）
３    第二フィルタ
３ａ  フィルタケーシング（本発明のカプセル型フィルタ）
４    カプセルエレメント
７    外部接続用パイプ
１０    戻り油配管
１２    第一配管ブロック
１３    第二配管ブロック
１４    ホース
１５    第三配管ブロック
Ａ    分岐配管
【図１】
2006226315.tif 000003
【図２】
2006226315.tif 000004
【図３】
2006226315.tif 000005
【図４】
2006226315.tif 000006
【図５】
2006226315.tif 000007